(57)【要約】【課題】  既設の横引き管等の小便器排水管の洗浄効率を向上させる。【解決手段】小便器排水管である横引き管１１０内の所定の位置にバルーン１１を挿入し、そのバルーン１１を膨張させることで、該バルーン１１が横引き管１１０の内面に密着する箇所までを、薬剤洗浄用閉鎖区間２００とする。この薬剤洗浄用閉鎖区間２００内に、尿石などを溶かす管洗浄用薬剤を供給すると、管洗浄用薬剤は、そのまま排水されるわけではなく、バルーン１１を収縮させるまでの間の任意の時間、該薬剤洗浄用閉鎖区間２００内に留まる。これにより、管洗浄用薬剤を、尿石を溶かすのに十分な時間接触させることができ、尿石の除去効率、すなわち、洗浄効率を上げることができる。【選択図】    図２
0003175525.tif 000002
【実用新案登録請求の範囲】
【請求項１】
バルーンと、
前記バルーンに空気を供給するエアチューブとを備え、
小便器の排水管内の所定位置に前記バルーンをセットし、前記エアチューブを介して空気を供給して前記バルーンを前記排水管の内面に密着させて閉鎖し、前記バルーンの密着箇所までを管洗浄用薬剤で洗浄可能な薬剤洗浄用閉鎖区間とすることができる小便器排水管洗浄用具。
【請求項２】
さらに、先端が前記バルーンに連結された長尺な部材からなり、前記排水管に設けられた掃除口から前記バルーンを挿入して所定位置まで挿入する際のガイド部材を備えていることを特徴とする請求項１記載の小便器排水管洗浄用具。
【考案の詳細な説明】
【技術分野】
【０００１】
本考案は、小便器排水管を洗浄するための洗浄用具に関する。
【背景技術】
【０００２】
排泄された尿中のカルシウム分は、細菌の働きによって水に溶けない成分に変化し、これに腐敗有機物が複雑に混ざり合うことで、小便器排水管にスケール（尿石）として強固に付着する。特に、ホテル、オフィスビル、百貨店、駅などのように多数の小便器が併設される場所では、各小便器を、床スラブ下に設けた共通の横引き管に連通し、この横引き管を経由させて排水竪管へと排水を導いている。このため、小便器排水管の中でも、排水竪管に至るまでの横引き管において尿石の付着量が多い。従来、横引き管を初めとする小便器排水管の洗浄は、高圧洗浄水を供給し、水圧によって、付着した尿石を排水管内壁から剥離させるか、これに加え、あるいはこれに代えて、尿石を溶かす専用の管洗浄用薬剤を供給して洗浄している。しかしながら、いずれの場合であっても、小便器排水管を十分には洗浄できないという課題があった。これらの点に鑑み、特許文献１では、横引き管を廃止し、直接排水竪管に小便器の排水を導出することを提案しており、特許文献２では、小便器排水管内のｐＨ値を測定し、所定値になったならば洗浄水を自動的に流して尿石の付着量を減少させることを提案している。
【先行技術文献】
【特許文献】
【０００３】
【特許文献１】特開２００３−３０１５０１号公報
【特許文献２】特開２００１−１３２０７３号公報
【考案の概要】
【考案が解決しようとする課題】
【０００４】
しかしながら、特許文献１の技術は、新たに設置するトイレに適用可能であるに過ぎない。また、特許文献２の技術も、小便器排水管内のｐＨ値を測定するセンサ、これに対応する制御機構などを設ける必要があり、また、尿石の付着量が減少することによって洗浄頻度を減らすことができたとしても、洗浄時における洗浄効率を高める技術ではない。
【０００５】
本考案は上記に鑑みなされたものであり、既設の横引き管等の小便器排水管の洗浄効率を向上させることができる小便器排水管洗浄用具を提供することを課題とする。
【課題を解決するための手段】
【０００６】
上記課題を解決するため、請求項１記載の考案では、バルーンと、
前記バルーンに空気を供給するエアチューブとを備え、
小便器の排水管内の所定位置に前記バルーンをセットし、前記エアチューブを介して空気を供給して前記バルーンを前記排水管の内面に密着させて閉鎖し、前記バルーンの密着箇所までを管洗浄用薬剤で洗浄可能な薬剤洗浄用閉鎖区間とすることができる小便器排水管洗浄用具を提供する。
請求項２記載の考案では、さらに、先端が前記バルーンに連結された長尺な部材からなり、前記排水管に設けられた掃除口から前記バルーンを挿入して所定位置まで挿入する際のガイド部材を備えていることを特徴とする請求項１記載の小便器排水管洗浄用具を提供する。
【考案の効果】
【０００７】
本考案は、小便器排水管内の所定の位置にバルーンを挿入し、そのバルーンを膨張させることで、該バルーンが小便器排水管内面に密着する箇所までを、薬剤洗浄用閉鎖区間とすることを特徴とする。この薬剤洗浄用閉鎖区間内に、尿石などを溶かす管洗浄用薬剤を供給すると、管洗浄用薬剤は、そのまま排水されるわけではなく、バルーンを収縮させるまでの間の任意の時間、該薬剤洗浄用閉鎖区間内に留まる。従来、管洗浄用薬剤を使用する場合でも、薬剤洗浄用閉鎖区間を形成していなかったため、管洗浄用薬剤は、横引き管等の小便器排水管の勾配に従って、供給された直後から排水竪管に向かって流れていくだけであり、尿石と管洗浄用薬剤との反応時間を十分にとることができなかった。しかしながら、本考案によれば、管洗浄用薬剤を、尿石を溶かすのに十分な時間接触させることができ、尿石の除去効率、すなわち、洗浄効率を上げることができる。
【０００８】
また、上記した管洗浄用薬剤による洗浄工程の前又は後のいずれか少なくとも一方において、高圧洗浄水による洗浄を実施すれば、さらに洗浄効率を高めることができる。
【図面の簡単な説明】
【０００９】
【図１】図１は、本考案の一の実施形態に係る小便器排水管洗浄用具を示す図である。
【図２】図２は、上記小便器排水管洗浄用具を用いた小便器排水管洗浄方法を説明するための図である。
【考案を実施するための形態】
【００１０】
以下、図面を用いて、本考案の実施形態を説明する。
図１は、本実施形態に係る小便器排水管洗浄用具１０を示す図である。小便器排水管洗浄用具１０は、バルーン１１と、エアチューブ１２と、ガイド部材１３とを備えてなる。具体的には、バルーン１１の後端に所定長さのエアチューブ１２が接続されており、該エアチューブ１２の端部に設けられたポンプ１４を駆動することで、エアチューブ１２を介してバルーン１１内に空気が供給される。ガイド部材１３は、フレキシブルワイヤ等の長尺な部材からなり、その先端がバルーン１１に連結されている。
【００１１】
この小便器排水管洗浄用具１０は次のように使用する。図２に示したように、各小便器１００のトラップ１０１下方でそれぞれを連通する横引き管１１０の端部に設けられた掃除口１１１を開口する。次に、バルーン１１を掃除口１１１に挿入し、ガイド部材１３を操作して横引き管１１０内の所定の位置まで押し込む。バルーン１１にはエアチューブ１２が接続されているため、このエアチューブ１２は、バルーン１１が横引き管１１０内に押し込まれることにより、横引き管１１０に沿って配置されることになる。次いで、ポンプ１４を駆動し、エアチューブ１２を介してバルーン１１内に空気を供給して、バルーン１１の外面が横引き管１１０の内面に密着するまで膨張させる。これにより、バルーン１１の挿入位置（密着箇所）Ａにおいて横引き管１１０は閉鎖されることになり、該挿入位置Ａから装置口１１１までが、薬剤洗浄用閉鎖区間２００となる。
【００１２】
このようにして薬剤洗浄用閉鎖区間２００を形成したならば、小便器１００のトラップ１０１から、あるいは、横引き管１１０の掃除口１１１から尿石を溶かす管洗浄用薬剤を注入し、薬剤洗浄用閉鎖区間２００をこの管洗浄用薬剤により満水にする。
【００１３】
薬剤洗浄用閉鎖区間２００内を管洗浄用薬剤により満たした後は、数十分から数時間、好ましくは３０分から２時間放置し、管洗浄用薬剤を尿石に反応させる。この反応時間は、尿石の付着状況等によって適宜に設定できるため、尿石が除去されるのに十分な時間管洗浄用薬剤を尿石に接触させることができる。反応終了後、エアチューブ１２を介してバルーン１１から空気を抜く。これにより、バルーン１１の外面が横引き管１１０の内面から離れるため、薬剤洗浄用閉鎖区間２００内に溜まっていた管洗浄用薬剤は、溶けた尿石と共に排水されていく。
【００１４】
なお、上記した説明では、薬剤洗浄用閉鎖区間２００を形成した後、管洗浄用薬剤を、該薬剤洗浄用閉鎖区間２００内に所定時間溜めるだけであるが、薬剤洗浄用閉鎖区間２００を形成後、管洗浄用薬剤を供給するための供給チューブ（図示せず）を挿入し、該供給チューブの周壁に形成した供給孔から管洗浄用薬剤を供給するようにしてもよい。管洗浄用薬剤を供給孔から噴出させることにより、その勢いによって尿石が多少なりとも剥離されるため、尿石の除去時間を短縮させることが期待できる。この場合も、所定時間経過後は、バルーン１１を収縮させ、管洗浄用薬剤を、溶けた尿石と共に排水することは上記と同様である。
【００１５】
また、上記した管洗浄用薬剤による洗浄を行った後、高圧洗浄機（図示せず）を使用して、横引き管１１０内に高圧洗浄水を供給し、除去しきれなかった尿石を洗浄するようにすることが好ましい。また、高圧洗浄水による洗浄は、上記した管洗浄用薬剤による洗浄工程の前工程として実施してもよいし、管洗浄用薬剤による洗浄工程の前工程と後工程の両方で実施してもよい。さらに、従来行っているブラシ付きワイヤを挿入して尿石を擦り取る方法を併用することも任意である。
【符号の説明】
【００１６】
１０  小便器排水管洗浄用具
１１  バルーン
１２  エアチューブ
１３  ガイド部材
１４  ポンプ
１００  小便器
１０１  トラップ
１１０  横引き管
１１１  掃除口
２００  薬剤洗浄用閉鎖区間
【図１】
0003175525.tif 000003
【図２】
0003175525.tif 000004